【事件の表示】
　特許第３３７６１９４号「画像処理装置及び方法」の請求項１ないし３、７ないし９に係る特許に対する特許異議の申立てについて、次のとおり決定する。
【結　論】
　訂正を認める。
　特許第３３７６１９４号の請求項１ないし３、７ないし９に係る特許を維持する。
【理　由】
１．訂正の適否
１−１訂正の内容
　別紙「訂正の内容」参照。
１−２（訂正の適否）
　請求項１ついての訂正事項ａ、請求項３についての訂正事項ｂ、及び請求項９についての訂正事項ｃは、単色モードが白黒モードであること、そして色空間圧縮処理をスルーにする制御手段が色空間圧縮処理による濃度低下を防止するための手段であることを限定するものであり、訂正事項ａ，ｂ，及びｃは特許明細書に記載されていたことである。
　以上のとおりであるから、訂正事項ａ，ｂ，及びｃは、特許法第１２０条の４第２項及び同条第３項において準用する特許法第１２６条第２項から第４項までの規定に適合するものである。
　また、その他の訂正事項ｄ乃至ｆについても、特許法第１２０条の４第２項及び同条第３項において準用する特許法第１２６条第２項から第４項までの規定に適合するものであるので上記訂正を認める。
　
２．異議の申立てについての判断
２−１本件発明
　上記のとおり、訂正は認められるから、本件特許の発明（請求項１ないし３，７ないし９）は、訂正された特許明細書に記載された次のとおりのものである。
請求項１；対象画像を示す画像データを入力する入力手段と、
　前記入力画像データに対して色空間圧縮処理を行う色空間圧縮手段と、
　前記入力画像データに対して複数の記録材を用いて記録媒体上に画像形成を行うべく画像処理を行う複数色モード、もしくは白黒モードのいずれのモードで画像処理を行うかを判定する判定手段と、
　前記判定手段の結果、前記複数色モードで画像処理を行うと判定された場合、前記色空間圧縮処理を行い、前記判定手段の結果、白黒モードで画像処理を行うと判定された場合、前記色空間圧縮処理による濃度低下を防止するために前記色空間圧縮処理をスルーにする制御手段とを有することを特徴とする画像処理装置。
（以下、本件発明１という。））
請求項２；更に、色再現処理を行う色再現処理手段を有し、
　前記画像処理には前記色空間圧縮処理と前記色再現処理があることを特徴とする請求項１記載の画像処理装置。
（以下、本件発明２という。）　
請求項３；前記色再現処理は、
　前記複数色モードの時は画像形成手段の特性に基づいた色再現処理を行い、前記複数の記録材の各々に対応した画像データを生成し、
　前記白黒モードの時は比視感度に相当する濃度データを生成することを特徴とする請求項２記載の画像処理装置。
（以下、本件発明３という。）
請求項７；前記色再現処理は、画像形成手段の特性に基づき記録材の総量規制を行うことを特徴とする請求項２記載の画像処理装置。
（以下、本件発明４という。））　
請求項８；前記色再現処理は下色処理を含むことを特徴とする請求項２記載の画像処理装置。
（以下、本件発明５という。）　
請求項９；対象画像を示す画像データを入力する入力工程と、
　前記入力画像データに対して色空間圧縮処理を行う色空間圧縮工程と、
　前記入力画像データに対して複数の記録材を用いて記録媒体上に画像形成を行うべく画像処理を行う複数色モード、もしくは白黒モードのいずれのモードで画像処理を行うかを判定する判定工程と、
　前記判定工程において前記複数色モードで画像処理を行うと判定された場合、前記色空間圧縮処理を行い、前記判定工程において前記白黒モードで画像処理を行うと判定された場合、前記色空間圧縮処理による濃度低下を防止するために前記色空間圧縮処理をスルーにする制御工程とを有することを特徴とする画像処理方法。
（以下、本件発明６という。）　　
　
２−２取消理由通知で引用された刊行物に記載された発明
（２−２−１）
　当審が通知した取消理由に引用した特開平７−２７３９９８号公報（甲第１号証）（以下、「刊行物１」という。）には、色空間圧縮、下地レベル補正、及びダークレベル補正をユーザが操作部から手動によりそのＯＮ／ＯＦＦを独立に設定することが可能な画像処理方法及び装置が記載されている。
（２−２−２）
　当審が通知した取消理由に引用した特開平１−２１３０７２号公報（甲第２号証）（以下、「刊行物２」という。）には、単一色で複写画像を形成する場合、３原色信号を１次変換回路を通すことにより又は他の手段により比視感度特性と同様な特性を有する輝度信号に変換し、該輝度信号を濃度信号に変換し、その後切替回路を切り替えてマスキング処理を行わずにプリンタ部に該濃度信号を供給するようにした複写装置が記載されている。
　
２−３対比・判断
（２−３−１）一致点・相違点の認定
　本件発明１と刊行物１に記載された発明とを対比すると、両者は「色空間圧縮処理手段のＯＮ／ＯＦＦを設定することが可能である」という点において一致するが、先ず次の点で両者は相違する。
相違点：刊行物１に記載された発明は、本件発明１の「複数色モード、もしくは白黒モードのいずれのモードで画像処理を行うかを判定する判定手段により、白黒モードで画像処理を行うと判定された場合、前記色空間圧縮処理による濃度低下を防止するために前記色空間圧縮処理をスルーにする制御手段」という構成を有しない点。
（２−３−２）相違点の判断
　相違点について検討するに、刊行物２には、「単一色で複写しようとする場合には、３原色信号を１次変換回路を通すことにより又は他の手段により比視感度特性と同様な特性を有する輝度信号に変換し、該輝度信号を濃度信号に変換し、その後切替回路を切り替えてマスキング処理を行わずにプリンタ部に供給すること」は記載されているものの当該マスキング処理切替手段が色空間圧縮処理をスルーにする制御手段である点については記載されておらず、刊行物２の記載から白黒モードで画像処理を行うと判定された場合、前記色空間圧縮処理による濃度低下を防止するために色空間圧縮処理手段をスルーにする制御手段は自明の事項でもない。
　したがって、本件発明と刊行物１に記載された発明との他の相違点についての検討、判断を示すまでもなく、本件発明１は、前記の刊行物１ないし２に記載された発明に基いて当業者が容易に発明をすることができたものとすることはできない。
　本件発明２は、本件発明１を引用し、本件発明３ないし５は、本件発明２を引用するものであるから、本件発明２ないし５についても、少なくとも本件発明１について上述した認定・判断が該当することは明かである。
　本件発明６は、装置発明である本件発明１のカテゴリーを変え、方法発明とするものであるから、本件発明６に対する一致点・相違点の認定および相違点の判断は、やはり本件発明１について述べたとおりである。
　
３．むすび
　以上のとおりであるから、特許異議申立の理由及び証拠によっては、本件請求項１ないし３，７ないし９に係る発明の特許を取り消すことができない。
　また、他に本件請求項１ないし３，７ないし９に係る発明の特許を取り消すべき理由を発見しない。
  よって、結論のとおり決定する。
【異議決定日】
平成１６年３月２３日（２００４．３．２３）
【訂正の要旨】
審決（決定）の【理由】欄参照。
（５４）【発明の名称】
画像処理装置及び方法
（５７）【特許請求の範囲】
　【請求項１】　対象画像を示す画像データを入力する入力手段と、
　前記入力画像データに対して色空間圧縮処理を行う色空間圧縮手段と、
　前記入力画像データに対して複数の記録材を用いて記録媒体上に画像形成を行うべく画像処理を行う複数色モード、もしくは
白黒モード
　前記判定手段の結果、前記複数色モードで画像処理を行うと判定された場合、前記色空間圧縮処理を行い、前記判定手段の結果、
白黒モード
前記色空間圧縮処理による濃度低下を防止するために
　【請求項２】　更に、色再現処理を行う色再現処理手段を有し、
　前記画像処理には前記色空間圧縮処理と前記色再現処理があることを特徴とする請求項１記載の画像処理装置。
　【請求項３】　前記色再現処理は、
　前記複数色モードの時は画像形成手段の特性に基づいた色再現処理を行い、前記複数の記録材の各々に対応した画像データを生成し、
　前記
白黒モード
　【請求項４】　更に、前記色空間圧縮手段は、前記対象画像の色分布を検出し、該色分布と画像形成手段の色再現範囲に基づいて色空間圧縮パラメータを生成する生成手段を有することを特徴とする請求項１記載の画像処理装置。
　【請求項５】　前記生成手段は前記対象画像のダークポイント及びハイライトポイントを検出することを特徴とする請求項４記載の画像処理装置。
　【請求項６】　前記生成手段は前記対象画像のＲ、Ｇ、Ｂ、Ｃ、Ｍ、Ｙの各成分の最外色を検出することを特徴とする請求項４記載の画像処理装置。
　【請求項７】　前記色再現処理は、画像形成手段の特性に基づき記録材の総量規制を行うことを特徴とする請求項２記載の画像処理装置。
　【請求項８】　前記色再現処理は下色処理を含むことを特徴とする請求項２記載の画像処理装置。
　【請求項９】　対象画像を示す画像データを入力する入力工程と、
　前記入力画像データに対して色空間圧縮処理を行う色空間圧縮工程と、
　前記入力画像データに対して複数の記録材を用いて記録媒体上に画像形成を行うべく画像処理を行う複数色モード、もしくは
白黒モード
　前記判定工程において前記複数色モードで画像処理を行うと判定された場合、前記色空間圧縮処理を行い、前記判定工程において前記
白黒モード
前記色空間圧縮処理による濃度低下を防止するために
【発明の詳細な説明】
　【０００１】
　【発明の属する技術分野】
　本発明は色空間圧縮処理を行う画像処理装置及び方法に関する。
　【０００２】
　【従来の技術】
　近年、出力デバイスの色再現範囲外の画像データを含む入力画像データを出力デバイスの色再現範囲内で最適な画像データに変換する色空間圧縮技術が考えられている。
　【０００３】
　【発明が解決しようとする課題】
　しかしながら、従来は設定されるモードにかかわらず色空間圧縮処理を行うため、各モードに適した処理ができない時があるという問題があった。
　【０００４】
　本発明は上述の点に鑑みてなされたもので、設定されたモードに応じて色空間圧縮処理を制御することにより、高画質の画像を得ることができる画像処理を行うことを目的とする。
　【０００５】
　【課題を解決するための手段】
　本発明は上述の目的を達成するために、以下の構成を有する。
　【０００６】
　本願第１の発明は、対象画像を示す画像データを入力する入力手段と、前記入力画像データに対して色空間圧縮処理を行う色空間圧縮手段と、前記入力画像データに対して複数の記録材を用いて記録媒体上に画像形成を行うべく画像処理を行う複数色モード、もしくは
白黒モード
白黒モード
前記色空間圧縮処理による濃度低下を防止するために
　【０００７】
　本願第２の発明は、対象画像を示す画像データを入力する入力工程と、前記入力画像データに対して色空間圧縮処理を行う色空間圧縮工程と、前記入力画像データに対して複数の記録材を用いて記録媒体上に画像形成を行うべく画像処理を行う複数色モード、もしくは
白黒モード
白黒モード
前記色空間圧縮処理による濃度低下を防止するために
　【０００８】
　【本発明の実施の形態】
　（実施形態１）
　図１に本実施形態に係る画像処理装置の構成を示す。
　【０００９】
　スキャナー部１０は原稿を走査して原稿を示すＲ、Ｇ、Ｂ成分で構成される色画像データを生成する。この色画像データはスキャナー部が有するＣＣＤの分光特性に依存しているので、入力マスキング部２０は色画像データを所定のＲＧＢ色空間（例えばＮＴＳＣＲＧＢ色空間）上の色画像データに変換する。色空間圧縮部３０は入力マスキング処理が施された色画像データに、以下のマトリクス式に基づく色空間圧縮処理を行う。
　【００１０】
　【外１】
ここでＸはｍｉｎ（Ｒ、Ｇ、Ｂ）である。
　【００１１】
　これに対し、操作部１００で白黒モード及び単色の記録材を用いて画像を形成するモードが設定された場合は、色空間圧縮処理をスルーにするとともに出力マスキング部のマトリクス係数を比視感度に基づく濃度データを生成するマトリクス係数に設定し、ＬＯＧ変換された色画像データから濃度データを生成する。
　【００１２】
　色空間圧縮が施された色画像データは、ＬＯＧ変換部４０でＹ、Ｍ、Ｃ成分で構成される色画像データに変換され、出力マスキング処理部５０及びフィルター６０で出力マスキング処理及びフィルター処理を行いプリンター７０に出力され、Ｙ、Ｍ、Ｃ、Ｋの記録材によって記録媒体上に画像が形成される。
　【００１３】
　判定部７１は入力マスキングが施された色画像データに対してエッジ検出及び彩度判定を行い、該画像データによって表される画素が文字部かイメージ部かを判定する。
　【００１４】
　出力マスキング処理部５０及びフィルター６０の処理は判定部７１の判定結果に基づき各画素の種別に応じた処理を行う。
　【００１５】
　即ち、対象画素が黒文字である場合は、下色除去（ＵＣＲ）量及び墨入れ（ＧＣＲ）量を増加する出力マスキング処理を行うとともに、黒エッジ部のＫ成分のレベルを増加するエッジ強調を行うフィルター処理を行う。これらの処理によって黒文字を黒トナーを中心に記録でき色のにじみを抑制することができる。また、エッジ強調を行うので文字のエッジ部を鮮明にすることができる。
　【００１６】
　これに対して、対象画素がイメージである場合は、階調性や色再現性が高くなるようなマスキング処理を行うとともに、印刷などの網点で形成される画像に対してはスムージング処理を含むフィルターを用いることによりモアレを抑制し高品質の画像再現を行うことができる。
　【００１７】
　上述の各処理部はバス１１０を介して接続されているＣＰＵ７０によって制御される。色空間圧縮係数、出力マスキング係数及びフィルター係数は操作部１００の設定や原稿の画像信号分布及び色分布等に基づきＣＰＵ７０が設定する。
　【００１８】
　ＣＰＵ７０はＲＯＭ８０に格納されているプログラムに基づきＲＡＭ９０をワークメモリとして用いて各処理部の制御及び各係数の演算設定を行う。
　【００１９】
　まず、色空間圧縮処理について説明する。プリンター７０はＣ、Ｍ、Ｙ、Ｋの記録材の特性等に基づき再現することができる色範囲である色再現範囲が決まっている。プリンター７０の色再現範囲は実在する全ての色を包含していないので、図３に示すように原稿に存在する色がプリンターの色再現範囲外に存在することがある。色空間圧縮処理は、この色再現範囲外の色を該色の色味に最も近い色再現範囲内の色に変換することにより、再現画像の色味が原稿の色味に近づくようにする。
　【００２０】
　本実施形態における色空間圧縮は図３に示されるように原稿の色再現範囲外に存在するＲ（赤）、Ｇ（緑）、Ｂ（青）（二次色）及びＣ（シアン）、Ｍ（マゼンタ）、Ｙ（イエロー）（一次色）及びＫ（ダーク）、Ｗ（ハイライト）の各成分に対応する最外色（高彩度部）を検出し、該８色成分がプリンター７０の色再現範囲を示す８色成分に変換されるように圧縮する。
　【００２１】
　式（１）における色空間圧縮係数設定方法を説明する。これは図２の本実施形態のシーケンスのＳ１〜Ｓ５に相当する。
　【００２２】
　まず、原稿をプリスキャン（Ｓ１）し、得られた色画像データに基づき、ＣＰＵにより画像信号の大きさによりヒストグラム生成をする（Ｓ２）。ここで、まず下地レベル（ハイライト部Ｗ）を検出し、それぞれＲＷ、ＧＷ、ＢＷ＝（ＲＧＢ）Ｗとして記憶される。次に色分布検出を行い、カラー出力部の色再現範囲を逸脱する色信号のうち最も彩度の高い色信号（最外色）を基本原色（Ｒ、Ｇ、Ｂ、Ｃ、Ｍ、Ｙ）について検出する。そして検出された色分布は、それぞれの基本原色に対し、
　　（ＲＧＢ）Ｒ、（ＲＧＢ）Ｇ、（ＲＧＢ）Ｂ、（ＲＧＢ）Ｃ、（ＲＧＢ）Ｍ、（ＲＧＢ）Ｙ＝（ＲＧＢ）ＬＬ＝１〜６
の形で記憶される。さらに、ダークレベル検出を行う。例えば
　　Ｒ＜ＲＰＤかつＧ＜ＧＰＤかつＢ＜ＥＰＤ
のようにＲＧＢいずれもがある一定値ＲＰＤ、ＧＰＤ、ＢＰＤ以下を満たす信号のうち最小の信号をダークレベル（ＲＧＢ）Ｄ（原稿のＢｋ）として記憶する。ここでＲＰＤ、ＧＰＤ、ＢＰＤは、本装置で色再現されるうち最も黒い色のＲＧＢ信号を表す（Ｓ３）。
　【００２３】
　次にＳ４でマトリクス演算係数を求める。つまり、マトリクス演算（１）の式において、フロー４０５で検出した下地レベル（ＲＧＢ）Ｗ、色分布（ＲＧＢ）Ｌ、ダークレベル（ＲＧＢ）Ｄのそれぞれ２４個の値を変換前の値Ｒ、Ｇ、Ｂとする。また、これらの各値に対してプリンターで再現可能な最大レベルを予めターゲットとして記憶しておき、マトリクス演算（１）の変換後の値Ｒ′、Ｇ′、Ｂ′とすると、それぞれ２４個の連立１次方程式ができる。こうしてこれらの式を解くことによりマトリクス係数を算出できる。
　【００２４】
　色分布検出（Ｓ３）により検出された８種類、８＊３＝２４個のＲＧＢ信号はいずれもこのまま出力すると、色再現範囲を逸脱していたり、下地がかぶっている画像信号である。このため、第３の実施例においてこれらの信号に所望のターゲットとなる色を対応付ける。
　【００２５】
　例えば以下の説明は、一例として原稿の下地レベルが、Ｒ＝２４０、Ｇ＝２４０、Ｂ＝２３５であった場合を例に説明する。なお、本来、白レベルはＲ′＝２５５、Ｇ′＝２５５、Ｂ′＝２５５が理想値である。
　【００２６】
　また、例えば赤の最外色がＲ＝２００、Ｇ＝１５、Ｂ＝０という信号であったとする。しかし、通常ハードコピーの色再現範囲内で最も彩度の高い赤色はＲ′＝１６０、Ｇ′＝２０、Ｂ′＝１０であるとする。
　【００２７】
　上記のマトリクス変換の目的は、検出された最外色をハードコピーの色再現範囲にマッピングすることであるので、マトリクス変換によって上記ＲＧＢ信号をＲ′、Ｇ′、Ｂ′にマトリクス変換すればよい。
　【００２８】
　このような対応関係を、白レベル（１色）、色空間分布（ＹＭＣＲＧＢの６色）、黒レベル（１色）、系８色全てについて設定すると２４個の連立１次方程式ができる。未知数として、マトリクス係数ａｉｊがやはり２４個あるので、一義的に解くことができてマトリクス係数が決定される。対応関係の一例を以下に示す。
　【００２９】
　【外２】
以上の手順によって下地レベル、色空間圧縮、ダークレベルの全てに対し所望の変換が得られる。
　【００３０】
　以上説明した様に本実施形態によれば、下地レベル（ハイライト部）補正、ダークレベル補正を含む色空間圧縮処理がマトリクス変換により一括して実現でき、各補正がそれぞれの補正に障害を与えることなく、良好な画像を出力することが可能となる。
　【００３１】
　また、マトリクス演算を用いて色空間圧縮処理を行っているので、色再現範囲外の階調及び色の連続性を失うことなく、色再現範囲内に変換することができる。
　【００３２】
　なお、上述の方法によって設定された色空間圧縮係数を用いて本スキャン（Ｓ５）されて得られた色画像データに対して色空間圧縮処理等を行い画像形成する（Ｓ６）。
　【００３３】
　ＬＯＧ変換部４０は色空間圧縮部から出力された輝度信号であるＲ、Ｇ、Ｂ成分で構成される色画像データを濃度信号であるＹ、Ｍ、Ｃ成分で構成される色画像データに以下の式を用いて変換する。
　【００３４】
　　Ｃ＝２５５／Ｄｍａｘ×Ｌｏｇ１０（Ｒ／２５５）
　　Ｍ＝２５５／Ｄｍａｘ×Ｌｏｇ１０（Ｇ／２５５）
　　Ｙ＝２５５／Ｄｍａｘ×Ｌｏｇ１０（Ｂ／２５５）（２）
この式（２）で示されるＬＯＧ変換処理では原稿濃度を忠実に再現すべくＤｍａｘに相当する色画像データを２５５（８ビットの最大値）に変換する。
　【００３５】
　よって、色空間圧縮処理を行わない色画像データは、Ｄｍａｘ以下の濃度を有する原稿中の色（即ち、色再現範囲内の色）を忠実に再現する色画像データに変換することができる。しかしながら、図４（ａ）に示すようにＤｍａｘ以上の濃度を有する原稿中の色は階調がつぶれてしまう。
　【００３６】
　これに対して、色空間圧縮を行った場合は、図４（Ｂ）に示す様に原稿の最大濃度を示す色画像データはＤｍａｘを示す色画像データに変換されるので高濃度部の階調を保持して再現することができる。
　【００３７】
　出力マスキング処理部５０は、プリンター部７０で用いるＹ、Ｍ、Ｃ、Ｋの記録材の特性等に基づき、Ｙ、Ｍ、Ｃ成分で構成される色画像データをＹ、Ｍ、Ｃ、Ｋ成分で構成される色画像データに変換する。
　【００３８】
　一般に、プリンター部７０は記録媒体の性質やプロセス条件から良好に画像形成を行うことができる記録材の総量の限界がある。したがって、プリンターを正常に動作させ、形成画像の品質を保持するために記録材の総量規制を行う必要がある。
　【００３９】
　そこで、本実施例では、出力マスキング部５０におけるマスキング係数とＵＣＲ量及びＧＣＲ量に係る係数によって記録材の総量規制を行っている。
　【００４０】
　この様に、出力マスキング部５０におけるマスキング係数とＵＣＲ量及びＧＣＲ量に係る係数は、記録材の特性等に依存する色再現と記録材の総量規制とに基づき設定される。
　【００４１】
　したがって、出力マスキング部５０における処理結果は図５に示されるように、入力濃度と出力濃度を示す図においてＫ成分の値、およびＹ、Ｍ、Ｃ成分の値がゆるやかな曲線で示される。
　【００４２】
　図５に示す関係より該マスキング処理の結果、複数色モード時は色空間圧縮後の濃度値より濃度が高くなる傾向にある。
　【００４３】
　これに対して、単色モード時は上述した様に出力マスキング処理部５０において濃度信号であるＣＭＹデータから比視感度に相当する濃度データを生成すべくマトリクス演算を行うにすぎないので、マスキング処理及びＵＣＲ・ＧＣＲ処理は行われません。よって単色モード時は入力色画像データが有する濃度が忠実にコピーされる出力濃度に反映される。
　【００４４】
　したがって、本実施形態では複数の記録材を用いて画像形成を行う複数色モード時は、原稿の色分布に基づき設定された色空間圧縮係数を用いて色空間圧縮を行うことにより、図４（Ｂ）に示されるように高濃度部の階調が良好に再現されるように色空間圧縮処理を行う。
　【００４５】
　一方、単色モード時は色空間圧縮処理による濃度低下を防止するために、色空間圧縮処理をスルーにする。
　【００４６】
　なお、該色空間圧縮の処理はＣＰＵ７０によって制御されます。ＣＰＵ７０は操作部１００によって白黒モード及び単色モードが設定されたか否かに基づき、色空間圧縮処理を行うか否かを自動的に制御する。
　【００４７】
　なお、色空間圧縮処理は色の連続性を保つために原稿全体に対して同一の色空間圧縮係数を用いて行う。
　【００４８】
　これに対して、判定部７１は画素ごとに種別を判定し、出力マスキング及びフィルターを設定する。
　【００４９】
　したがって、高濃度部及び黒文字部を有する原稿に対して色空間圧縮処理、出力マスキング処理及びフィルター処理を行う場合、色空間圧縮処理は全体に施されるので黒文字部の濃度を低下させてしまうが、出力マスキング処理及びフィルター処理が黒文字部用の処理が設定されるため、黒文字部の濃度は保存され、エッジは強調される。よって高濃度の階調は色空間圧縮処理によって良好に再現されるとともに、マスキング処理及びフィルター処理によって黒文字部も鮮明でエッジが強調され良好に再現される。
　【００５０】
　（他の実施形態）
　上述の実施形態では、色空間圧縮方法として図３に示す方法を用いたが、例えば（ａ）入力画像データの色相を保存して彩度、明度を変化させることにより色再現範囲内に入力画像データを色空間圧縮する色空間圧縮方法でも構わない。
　【００５１】
　また、上述の実施形態では一頁全体に対して色空間圧縮するか否かを制御していたが、例えば一頁の画像の中に、イメージ領域、ＣＧ領域、文字領域等の特性が異なる領域が含まれる場合は各領域ごとに色空間圧縮を行うか否かを設定できるようにしても構わない。
　【００５２】
　また、上述の実施形態１では複数色モードでは色空間圧縮を行い、単色モードでは色空間圧縮をスルーにするように制御していたが、例えば、複数色モードでは実施形態１と同様に色空間圧縮を行い、単色モードではダークポイントのターゲットに対してリミッタをかけないように制御しても構わない。
　【００５３】
　また、上述の実施形態１では、色空間圧縮処理係数を原稿の色分布に基づき自動的に設定していたが、例えば、ユーザがマニュアルで微調整できるようにしても構わない。即ち、各色ごとに色空間圧縮の度合いをユーザが微調整し、該微調整結果に基づきターゲットを変換させることにより色空間圧縮係数にユーザの調整結果が反映させるようにしても構わない。
　【００５４】
　また、上述の実施形態１では色再現処理としてマスキング処理を用いたが、例えばテーブルを用いてダイレクトマッピング処理はどの他の色再現処理でも構わない。
　【００５５】
　本発明は複数の機器（例えば、ホストコンピュータ、インタフェイス機器、プリンタ、リーダなど）から構成されるシステムに適用しても、一つの機器からなる装置（例えば、複写機、ファクシミリ装置など）に適用してもよい。
　【００５６】
　また、本発明を達成するソフトウェアのプログラムを記録した記録媒体を、システムあるいは装置に供給し、そのシステムあるいは装置が記録媒体に格納されたプログラムを読出し実行することによって、本発明が達成される場合にも適用できることは言うまでもない。プログラムを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
　【００５７】
　【発明の効果】
　以上説明したように、請求項１、９の発明によれば、複数色モード時には色空間圧縮処理を行い高画質の画像を得ることが可能となり、
単色モード時
濃度低下を防止すること
【図面の簡単な説明】
　【図１】
　本発明の実施形態にかかる画像処理装置の構成を示すブロック図。
　【図２】
　色空間圧縮処理の流れの１例を示すフローチャート。
　【図３】
　色再現範囲を説明する図。
　【図４】
　色空間圧縮処理の結果を示す図。
　【図５】
　下色処理（ＵＣＲ及びＧＣＲ）の結果を示す図。